(57)【要約】【課題】  瓶形容器に簡単に装着できるとともに、運送および保管中においても、取扱作業および保管スペースのうえで、何ら支障をきたすことのない景品収容用容器を提供する。【解決手段】  瓶形容器４の肩部４ｂに装着させるための景品収容用容器１であって、容器本体２と蓋体３とよりなり、容器本体２または／および蓋体３に、瓶形容器４における首部４ａを嵌入させうる嵌入口５を設け、この嵌入口５内に下方から前記首部４ａを嵌入させるとともに、瓶口１５をキャップ１４をもって閉塞した状態において、前記嵌入口５の内周面に、キャップ１４の下端１４ａに係止しうる係止部１６を設ける。【選択図】        図１
2005255212.tif 000002
【特許請求の範囲】
【請求項１】
瓶形容器に装着させるための景品収容用容器であって、容器本体と蓋体とよりなり、容器本体または／および蓋体に、瓶形容器における首部を嵌入させうる嵌入口を設け、この嵌入口内に前記首部を嵌入させるとともに、瓶口をキャップをもって閉塞した状態において、前記嵌入口の内周面に、キャップの下端に係止しうる係止部を設けたことを特徴とする景品収容用容器。
【請求項２】
容器本体における前記嵌入口を、容器本体の底部中央を、上下方向に貫通する上向きの筒体、または下向きに開口する凹部をもって形成し、平面視において、ほぼドーナツ状の容器本体としたことを特徴とする請求項１記載の景品収容用容器。
【請求項３】
容器本体における前記嵌入口を、容器本体を、平面視において馬蹄形状に形成し、この馬蹄形状における上下方向の内部通口をもって形成したことを特徴とする請求項１記載の景品収容用容器。
【請求項４】
蓋体を、下向きに開口する容器状とするとともに、容器本体に整合させて中央に嵌入口を有するほぼドーナツ状、または馬蹄形状に形成したことを特徴とする請求項２または３記載の景品収容用容器。
【請求項５】
容器本体と蓋体とのそれぞれの開口周縁に、外向きの鍔部を設け、容器本体を蓋体で覆ったときに、容器本体と蓋体とを係合する係合部を、前記鍔部に設けたことを特徴とする請求項４記載の景品収容用容器。
【請求項６】
蓋体を、中央に嵌入口を有するか、または有しないシート状物に形成するとともに、容器本体の開口周縁に、外向きの鍔部を設け、容器本体を蓋体で覆ったときに、容器本体における鍔部と、蓋体の周縁部とを、剥離可能な接着剤をもって接着したことを特徴とする請求項１〜３のいずれかに記載の景品収容用容器。
【請求項７】
蓋体を開けて、容器本体から景品を取り出す際の握持部を、蓋体に設けたことを特徴とする請求項５または６記載の景品収容用容器。
【請求項８】
容器本体と蓋体とをヒンジ部をもって連結し、これらを一体成形したことを特徴とする請求項１〜７のいずれかに記載の景品収容用容器。
【請求項９】
容器本体における嵌入口の下部を拡径し、瓶形容器の肩部における傾斜面または湾曲面に添接しうるようにしたことを特徴とする請求項１〜８のいずれかに記載の景品収容用容器。
【請求項１０】
蓋体における嵌入口を、上方に向かうほど拡径するものとしたことを特徴とする請求項１〜９のいずれかに記載の景品収容用容器。
【請求項１１】
キャップの下端に係止させる前記係止部を、容器本体または蓋部における嵌入口の内周面から、内方に向かう鍔部をもって形成したことを特徴とする請求項１〜１０のいずれかに記載の景品収容用容器。
【請求項１２】
前記係止部に、放射状にスリットを設けたことを特徴とする請求項１１記載の景品収容用容器。
【請求項１３】
前記係止部を、平面視において波状に形成したことを特徴とする請求項１１記載の景品収容用容器。
【請求項１４】
自動販売機により販売される瓶形容器に装着されるものであることを特徴とする請求項１〜１３のいずれかに記載の景品収容用容器。
【発明の詳細な説明】
【技術分野】
【０００１】
本発明は、景品収容用容器に関し、詳しくは、ペットボトルや各種瓶類などの瓶形容器に飲料等を注入して販売する場合に、景品を収容して前記瓶形容器に装着される容器に関する。
【背景技術】
【０００２】
ミネラルウォータ、ジュース類等の各種飲料を、ペットボトルを初めとする各種瓶形容器に収容した、いわゆるペットボトル商品類は、近年、その市場が増加の一途にあり、各社間において、熾烈な販売競争が行われている。
【０００３】
一方、商品に景品を付して販売することは、古くから公知である。
しかし、ペットボトル商品類に景品を付すには、景品を合成樹脂製袋等に封入し、これを、紐をもってペットボトル等の首部にくくり付けることにより行われているが、その作業に手数を要するばかりでなく、ペットボトル商品類の運送および保管中に、景品を封入した合成樹脂製袋等が邪魔になり、取扱作業および保管スペースのうえで問題となる。
【０００４】
また、景品を封入した合成樹脂製袋等を、紐をもってペットボトル等の首部にくくり付けたもの等は、これを自動販売機を利用して販売に供しようとした場合、自動販売機内部における移動通路において、前記紐や袋が引掛かり、円滑に商品取出口まで移動させることが困難であり、そのため自動販売機を利用した販売が不可能である。
さらにまた、景品を封入した合成樹脂製袋等を、紐をもってペットボトル等の首部にくくり付けたもの等は、一般に瓶形容器に貼付されたラベルを視認するうえで、合成樹脂製袋等が妨げとなっている。
なお、ペットボトル商品類に景品を付して販売することに関する発明についての刊行物は、見当たらない。
【発明の開示】
【発明が解決しようとする課題】
【０００５】
本発明は、前記の現状に鑑み、各種瓶形容器に簡単に装着できるとともに、運送および保管中においても、取扱作業および保管スペースのうえで、何ら支障をきたすことがなく、かつ自動販売機を利用した販売にも、何ら問題なく供することができ、さらに瓶形容器に貼付されたラベルを視認するうえで妨げとならない景品収容用容器を提供することを目的とする。
【課題を解決するための手段】
【０００６】
本発明によると、上記課題は、次のようにして解決される。
(１)  瓶形容器に装着させるための景品収容用容器であって、容器本体と蓋体とよりなり、容器本体または／および蓋体に、瓶形容器における首部を嵌入させうる嵌入口を設け、この嵌入口内に前記首部を嵌入させるとともに、瓶口をキャップをもって閉塞した状態において、前記嵌入口の内周面に、キャップの下端に係止しうる係止部を設ける。
【０００７】
(２)  上記(１)項において、容器本体における前記嵌入口を、容器本体の底部中央を、上下方向に貫通する上向きの筒体、または下向きに開口する凹部をもって形成し、平面視において、ほぼドーナツ状の容器本体とする。
【０００８】
(３)  上記(１)項において、容器本体における前記嵌入口を、容器本体を、平面視において馬蹄形状に形成し、この馬蹄形状における上下方向の内部通口をもって形成する。
【０００９】
(４)  上記(２)項または(３)項において、蓋体を、下向きに開口する容器状とするとともに、容器本体に整合させて中央に嵌入口を有するほぼドーナツ状、または馬蹄形状に形成する。
【００１０】
(５)  上記(４)項において、容器本体と蓋体とのそれぞれの開口周縁に、外向きの鍔部を設け、容器本体を蓋体で覆ったときに、容器本体と蓋体とを係合する係合部を、前記鍔部に設ける。
【００１１】
(６)  上記(１)〜(３)項のいずれかにおいて、蓋体を、中央に嵌入口を有するか、または有しないシート状物に形成するとともに、容器本体の開口周縁に、外向きの鍔部を設け、容器本体を蓋体で覆ったときに、容器本体における鍔部と、蓋体の周縁部とを、剥離可能な接着剤をもって接着する。
【００１２】
(７)  上記(５)項または(６)項において、蓋体を開けて、容器本体から景品を取り出す際の握持部を、蓋体に設ける。
【００１３】
(８)  上記(１)項〜(７)項のいずれかにおいて、容器本体と蓋体とをヒンジ部をもって連結し、これらを一体成形する。
【００１４】
(９)  上記(１)項〜(８)項のいずれかにおいて、容器本体における嵌入口の下部を拡径し、瓶形容器の肩部における傾斜面または湾曲面に添接しうるようにする。
【００１５】
(10)  上記(１)項〜(９)項のいずれかにおいて、蓋体における嵌入口を、上方に向かうほど拡径するものとする。
【００１６】
(11)  上記(１)項〜(10)項のいずれかにおいて、キャップの下端に係止させる前記係止部を、容器本体または蓋部における嵌入口の内周面から、内方に向かう鍔部をもって形成する。
【００１７】
(12)  上記(11)項において、前記係止部に、放射状にスリットを設ける。
【００１８】
(13)  上記(11)項において、前記係止部を、平面視において波状に形成する。
【００１９】
(14)  上記(１)〜(13)項のいずれかにおいて、自動販売機により販売される瓶形容器に装着されるものとする。
【発明の効果】
【００２０】
本発明によると、次のような効果が奏せられる。
ａ)  前記(１)項記載の発明によれば、容器本体または／および蓋体に、嵌入口が設けられているため、景品収容用容器を、上方から瓶形容器に近づけて、その首部を前記嵌入口内に嵌入させるだけのワンタッチ操作により、極めて簡単に景品収容用容器を、瓶形容器に装着することができる。
また景品収容用容器は、瓶形容器の肩部に装着されているため、瓶形容器の周囲から外側にはみ出すことが殆んどなく、運送および保管中において、取扱作業および保管スペースのうえで、何ら支障をきたすことがない。
さらに、自動販売機を利用した販売にも、何ら問題なく供することができるとともに、瓶形容器に貼付されたラベルを視認するうえでも何ら妨げとならない。
【００２１】
ｂ)  前記(２)項記載の発明によれば、瓶形容器の首部を嵌入しうる嵌入口を容易に形成することができるとともに、景品収容用容器内に収容した景品が、瓶形容器の首部と接触して損傷する虞がない。
【００２２】
ｃ)  前記(３)項記載の発明によれば、容器本体が馬蹄形状に形成されているため、景品収容用容器を側方から瓶形容器に近づけて、馬蹄形状内に、その開口から瓶形容器における首部を嵌入させるだけのワンタッチ操作により、景品収容用容器を、瓶形容器に容易に装着することができる。
【００２３】
ｄ)  前記(４)項記載の発明によれば、たとえば、景品収容用容器の上面を、瓶形容器の上端部よりも下方に位置させて、瓶形容器の取扱作業を容易にすることもできる。
【００２４】
ｅ)  前記(５)項記載の発明によれば、嵌入口と蓋体との当接面を、所望の幅に容易に形成することができるため、たとえば容器本体と蓋体との両者の当接部のずれによって生じた開口から、景品収容用容器内に収容した小さな景品が外部に落ちたり、あるいは景品が部分的にはみ出して損傷されるなどの虞をなくすことができる。
【００２５】
ｆ)  前記(６)項記載の発明によれば、蓋体がシート状であるため、容易に形成することができるとともに、中央部に嵌入口を有しない蓋体である場合においても、蓋体の中央部を瓶形容器の上端に重合させた形態に装着し、このシート状の蓋体の上方に、たとえば他のペットボトル等を収容したケースを積み重ねることもできる。
【００２６】
ｇ)  前記(７)項記載の発明によれば、握持部を手で握持して、蓋体を容器本体から離して、景品収容用容器内の景品を容易に取り出すことができる。
【００２７】
ｈ)  上記(８)項記載の発明によれば、一体成形することにより、景品収容用容器を低コストで製作することができるとともに、容器本体と蓋体とがヒンジ部をもって連結されているため、景品収容用容器内への景品の収容作業も能率的に行うことができる。
【００２８】
ｉ)  上記(９)項記載の発明によれば、瓶形容器に装着した景品収容用容器の位置保持性が良好である。
【００２９】
ｊ)  上記(10)項記載の発明によれば、景品収容用容器を瓶形容器に装着した状態において、ケース等から瓶形容器を取り出す場合に、拡径された嵌入口内に指が入り易くなり、瓶形容器を、その首部を掴んで取り出し易くなる。
【００３０】
ｋ)  上記(11)項記載の発明によれば、鍔部をもって、全周に亘り、キャップの下端に係止されるため、景品収容用容器が瓶形容器から脱離する虞がなく、位置保持性も良好である。
【００３１】
ｌ)  上記(12)項記載の発明によれば、スリットが設けられているため、景品収容用容器の係止部を、瓶形容器におけるキャップの下端に容易に係止することができ、景品収容用容器を瓶形容器に装着する際の作業性が良好である。
【００３２】
ｍ)  上記(13)項記載の発明によれば、上記ｌ）項に記載した効果と同様な効果が奏せられる。
【００３３】
ｎ)  上記(14)項記載の発明によれば、自動販売機を利用した販売形態において、その効果を最大限に発揮させることができる。
【発明を実施するための最良の形態】
【００３４】
以下、本発明の実施形態を、図面に基づいて説明する。
【実施例１】
【００３５】
図１〜図６は、本発明の景品収容用容器の第１実施形態を示し、図１は斜視図、図２は正面図、図３は平面図、図４は、蓋体を開いて、容器本体と蓋体との当接面を同一平面上に位置させたときの平面図、図５は、図４におけるＶ〜Ｖ線断面図、図６は、景品収容用容器を瓶形容器に装着した使用状態図であり、景品収容用容器を中央縦断面して示す。
【００３６】
本発明の景品収容用容器(１)は、容器本体(２)と蓋体(３)とよりなる。容器本体(２)は、上向きに開口し、容器本体(２)の底部(2a)には、瓶形容器(４)における首部(4a)を嵌入させるための嵌入口(５)が設けられている。
【００３７】
前記嵌入口(５)は、容器本体(２)の底部(2a)における中央を、下部が拡径し、上下方向に貫通する上向きの筒体(６)をもって形成することにより構成されている。
【００３８】
一方、蓋体(３)は、下向きに開口する容器状をなし、天板(3a)の中央を、上下方向に貫通する下向きの筒体(７)をもって形成することにより、容器本体(２)における前記嵌入口(５)に整合させて、嵌入口(８)が形成されている。
【００３９】
容器本体(２)および蓋体(３)は、両者ともに平面視において、ほぼドーナツ状をなしている。
【００４０】
容器本体(２)と蓋体(３)とのそれぞれの開口周縁には、外向きの鍔部(９)(10)が設けられ、容器本体(２)を蓋体(３)で覆ったときに、前記鍔部(９)(10)同士が当接するようになっている。
【００４１】
容器本体(２)と蓋体(３)とは、鍔部(９)(10)の一端で、ヒンジ部(11)をもって連結され、一体成形されている。
【００４２】
容器本体(２)と蓋体(３)の、それぞれの鍔部(９)(10)におけるヒンジ部(11)の反対側には、容器本体(２)を蓋体(３)で覆ったときに、両者を係合する係合部(12)(13)が設けられている。すなわち、容器本体(２)における鍔部(９)には、係合凹部(12)が設けられ、蓋体(３)における鍔部(10)には、前記係合凹部(12)内に嵌入される係合突起(13)が設けられている。
【００４３】
蓋体(３)の嵌入口(８)における下部には、瓶形容器(４)における首部(4a)にキャップ(14)を螺着して瓶口(15)を閉塞した状態において、景品収容用容器(１)を、上方から瓶形容器(４)に近づけ、瓶形容器(４)の首部(4a)を景品収容用容器(１)の嵌入口(５)(８)内に嵌入させたときに、前記キャップ(14)の下端(14a)に係止される係止部(16)が設けられている。前記係止部(16)は、嵌入口(８)の内周面(8a)の下端から、内方に向かう鍔部をもって形成されている。前記係止部(16)には、放射状の多数のスリット(17)が設けられ、景品収容用容器(１)を瓶形容器(４)に装着する際の作業性が良好になるようにしてある。
【００４４】
景品収容用容器(１)内に景品を収容して瓶形容器(４)に装着するには、次の手順による。
中空成形法等により一体成形された景品収容用容器(１)は、図４に示すように、蓋体(３)が開いた状態にある。容器本体(２)内に景品を収容した後、蓋体(３)を閉じて、蓋体(３)と容器本体(２)における係合部(13)(12)を、相互に係合させる。
【００４５】
次いで、景品が収容された景品収容用容器(１)を、上方から瓶形容器(４)に近づけ、瓶形容器(４)の首部(4a)を景品収容用容器(１)の嵌入口(５)(８)内に嵌入させて、景品収容用容器(１)における係止部(16)がキャップ(14)の下端(14a)よりも下方となる位置まで、景品収容用容器(１)を押し下げる。なお、前記係止部(16)である鍔部の内径Ｌ１（図４参照）は、キャップ(14)の外径Ｌ２（図６参照）よりも小さく形成してあるため、係止部(16)が、キャップ(14)の下端(14a)に係止されて、景品収容用容器(１)が、簡単には離脱しない状態で瓶形容器(４)に装着される。容器本体(２)における嵌入口(５)の下部は拡径され、瓶形容器(４)の肩部(4b)に添接しうるように湾曲面に形成されているため、景品収容用容器(１)の位置保持性も良好である。
【実施例２】
【００４６】
図７〜図１１は、本発明の景品収容用容器の第２実施形態を示し、それぞれ第１実施形態における図１〜図５に対応する図である。
【００４７】
景品収容用容器(18)は、容器本体(19)と蓋体(20)とよりなる。容器本体(19)は、第１実施形態における容器本体(２)よりも、上下方向の長さが大きく、容器本体(19)の底部(19a)には、図示を省略した瓶形容器における外方に向けて湾曲した面を有する肩部に添接するような補形からなる湾曲面(21)と、この湾曲面(21)の上端に連設された上下方向に貫通する上向きの筒体(22)とからなる嵌入口(23)が設けられている。
【００４８】
前記筒体(22)における内周面(22a)の下端には、内方に向かう鍔部からなる係止部(24)が設けられ、放射状にスリット(25)が設けられている。
【００４９】
容器本体(19)の開口周縁には、外向きの鍔部(26)が設けられている。
一方、蓋体(20)は、中央に嵌入口(27)を有するシート状物によって形成されている。
容器本体(19)と蓋体(20)とは、ヒンジ部(28)をもって連結され、一体成形されている。
【００５０】
容器本体(19)内に景品を収容した後に、容器本体(19)を蓋体(20)で覆い、容器本体(19)における鍔部(26)と、蓋体(20)の周縁部(20a)とを、剥離可能な接着剤をもって接着してある。この景品収容用容器(18)は、第１実施形態における景品収容用容器(１)と同様にして瓶形容器の首部に装着される。
【００５１】
景品を取り出す際には、蓋体(20)に設けられた握持部(29)を手で握持して、蓋体(20)を開け、容器本体(19)内の景品を取り出せばよい。なお、この第２実施形態においては、蓋体(20)の中央に嵌入口(27)を設けて、容器本体(19)と蓋体(20)の両者とも、平面視において、ほぼドーナツ状としてある。
【００５２】
しかし、蓋体(20)の中央に嵌入口(27)を設けずに、単なる円板状の蓋体としてもよい。
またさらに、容器本体(19)における嵌入口(23)も、上下方向に貫通するものとせず、下向きに開口する凹部をもって嵌入口を形成してもよい。
【実施例３】
【００５３】
図１２〜図１６は、本発明の景品収容用容器の第３実施形態を示し、それぞれ第１実施形態における図１〜図５に対応する図である。
【００５４】
この第３実施形態は、基本的には第１実施形態に類似しており、異なる点は、下記の２点である。すなわち、その１は、平面視において、第１実施形態における景品収容用容器(１)は、外周が円をなすドーナツ状に形成されていたのに対し、第３実施形態における景品収容用容器(30)は、外周が８角形をなすドーナツ状に形成されている。
【００５５】
その２は、第１実施形態においては、容器本体(２)における嵌入口(５)が、瓶形容器(４)における肩部(4b)が外方に向けて湾曲した面を有するものを対象にして、この肩部(4b)に添接するような補形からなる湾曲面をなしていたのに対し、第３実施形態においては、容器本体(31)における嵌入口(32)が、図示を省略した瓶形容器における肩部が、湾曲しない下り傾斜面を有するものを対象にして、この肩部に添接するような補形として、円錐状、すなわち縦断面において、湾曲しない傾斜面となるように形成されている。
【実施例４】
【００５６】
図１７〜図２１は、本発明の景品収容用容器の第４実施形態を示し、それぞれ第１実施形態における図１〜図５に対応する図である。
【００５７】
この第４実施形態も、基本的には第１実施形態に類似しており、異なる点は、下記の３点である。すなわち、その１は、正面図において、第１実施形態における景品収容用容器(１)は、鍔部を無視した場合、左右辺が平行に上下方向に延びる形態であるのに対し、第４実施形態における景品収容用容器(33)は、同じく鍔部を無視した場合、左右辺が、外向きの湾曲をなし、かつ上方に向かうほど相互に近接する形態である。
【００５８】
その２は、第１実施形態においては、蓋体(３)における嵌入口(８)の内径は一定であったが、第４実施形態においては、蓋体(34)における嵌入口(35)は、上方に向かうほど拡径されている。このように拡径することにより、景品収容用容器(33)を、瓶形容器に装着した状態において、ケース等から瓶形容器を取り出す場合に、拡径された嵌入口(35)内に指が入り易くなり、瓶形容器を、その首部を掴んで取り出し易くなる利点がある。
【００５９】
その３は、第４実施形態における容器本体(36)は、第１実施形態における容器本体(２)よりも、上下方向の長さが大きく、かつ第１実施形態においては、容器本体(２)における嵌入口(５)の下端は、容器本体(２)の底部(2a)の周縁よりも内側に位置していたが、第４実施形態においては、容器本体(36)における嵌入口(35)の下端は、容器本体(36)の底部(36a)の周縁に位置している。
【実施例５】
【００６０】
図２２〜図２６は、本発明の景品収容用容器の第５実施形態を示し、それぞれ第１実施形態における図１〜図５に対応する図である。
【００６１】
この第５実施形態における景品収容用容器(37)は、容器本体(38)および蓋体(39)の両者とも、平面視において、馬蹄形状に形成されており、この馬蹄形状における上下方向の内部通口をもって、嵌入口(40)(41)が形成されている。
【００６２】
容器本体(38)と蓋体(39)とのそれぞれの開口周縁には、外向きの鍔部(42)(43)が設けられ、これらの鍔部(42)(43)は、前記嵌入口(40)(41)の内周面から、内方に向かう鍔部をもって形成された係止部(44)(45)と連続している。
【００６３】
前記係止部(44)(45)は、平面視において波状に形成されており、景品収容用容器(37)を瓶形容器に装着する際の作業が容易になっている。
【００６４】
景品収容用容器(37)を瓶形容器に装着する際には、景品収容用容器(37)を側方から瓶形容器に近づけて、馬蹄形状内に、その開口から瓶形容器における首部を嵌入させるだけのワンタッチ操作により、景品収容用容器(37)を瓶形容器に、容易に装着することができる。
【図面の簡単な説明】
【００６５】
【図１】本発明の景品収容用容器の第１実施形態を示す斜視図である。
【図２】同じく、第１実施形態の正面図である。
【図３】同じく、第１実施形態の平面図である。
【図４】同じく、第１実施形態における、蓋体を開いて容器本体と蓋体との当接面を同一平面上に位置させたときの平面図である。
【図５】図４におけるＶ〜Ｖ線断面図である。
【図６】第１実施形態の景品収容用容器を瓶形容器に装着した使用状態図であり、景品収容用容器を中央縦断面して示す。
【図７】本発明の景品収容用容器の第２実施形態を示す斜視図である。
【図８】同じく、第２実施形態の正面図である。
【図９】同じく、第２実施形態の平面図である。
【図１０】同じく、第２実施形態における、蓋体を開いて容器本体と蓋体との当接面を同一平面上に位置させたときの平面図である。
【図１１】図１０におけるXI〜XI線断面図である。
【図１２】本発明の景品収容用容器の第３実施形態を示す斜視図である。
【図１３】同じく、第３実施形態の正面図である。
【図１４】同じく、第３実施形態の平面図である。
【図１５】同じく、第３実施形態における、蓋体を開いて容器本体と蓋体との当接面を同一平面上に位置させたときの平面図である。
【図１６】図１５におけるXVI〜XVI線断面図である。
【図１７】本発明の景品収容用容器の第４実施形態を示す斜視図である。
【図１８】同じく、第４実施形態の正面図である。
【図１９】同じく、第４実施形態の平面図である。
【図２０】同じく、第４実施形態における、蓋体を開いて容器本体と蓋体との当接面を同一平面上に位置させたときの平面図である。
【図２１】図２０におけるXXI〜XXI線断面図である。
【図２２】本発明の景品収容用容器の第５実施形態を示す斜視図である。
【図２３】同じく、第５実施形態の正面図である。
【図２４】同じく、第５実施形態の平面図である。
【図２５】同じく、第５実施形態における、蓋体を開いて容器本体と蓋体との当接面を同一平面上に位置させたときの平面図である。
【図２６】図２５におけるXXVI〜XXVI線断面図である。
【符号の説明】
【００６６】
(１)景品収容用容器
(２)容器本体
(2a)底部
(３)蓋体
(3a)天板
(４)瓶形容器
(4a)首部
(4b)肩部
(５)嵌入口
(６)(７)筒体
(８)嵌入口
(8a)内周面
(９)(10)鍔部
(11)ヒンジ部
(12)係合凹部（係合部）
(13)係合突起（係合部）
(14)キャップ
(14a)下端
(15)瓶口
(16)係止部
(17)スリット
(18)景品収容用容器
(19)容器本体
(19a)底部
(20)蓋体
(20a)周縁部
(21)湾曲面
(22)筒体部
(22a)内周面
(23)嵌入口
(24)係止部
(25)スリット
(26)鍔部
(27)嵌入口
(28)ヒンジ部
(29)握持部
(30)景品収容用容器
(31)容器本体
(32)嵌入口
(33)景品収容用容器
(34)蓋体
(35)嵌入口
(36)容器本体
(37)景品収容用容器
(38)容器本体
(39)蓋体
(40)(41)嵌入口
(42)(43)鍔部
(44)(45)係止部
【図１】
2005255212.tif 000003
【図２】
2005255212.tif 000004
【図３】
2005255212.tif 000005
【図４】
2005255212.tif 000006
【図５】
2005255212.tif 000007
【図６】
2005255212.tif 000008
【図７】
2005255212.tif 000009
【図８】
2005255212.tif 000010
【図９】
2005255212.tif 000011
【図１０】
2005255212.tif 000012
【図１１】
2005255212.tif 000013
【図１２】
2005255212.tif 000014
【図１３】
2005255212.tif 000015
【図１４】
2005255212.tif 000016
【図１５】
2005255212.tif 000017
【図１６】
2005255212.tif 000018
【図１７】
2005255212.tif 000019
【図１８】
2005255212.tif 000020
【図１９】
2005255212.tif 000021
【図２０】
2005255212.tif 000022
【図２１】
2005255212.tif 000023
【図２２】
2005255212.tif 000024
【図２３】
2005255212.tif 000025
【図２４】
2005255212.tif 000026
【図２５】
2005255212.tif 000027
【図２６】
2005255212.tif 000028